(57)【要約】【課題】意匠性の低下を招くことなく、安全性と利便性を確保しつつ、保守を行う際に用いる部品や工具類を収納することのできるエレベーター装置の提供。【解決手段】エレベーターの保守を行う際に用いる部品及び工具類を収納可能な収納庫１０を備えたエレベーター装置において、収納庫１０は、乗場戸７上部の乗場側壁に配置されると共に、その開口部１０ａが昇降路１内側に形成され、かつ開口部１０ａに変位可能に支持され開口部１０ａを遮蔽可能な収納庫戸１１と、この収納庫戸１１の開閉を検出する検出スイッチ１２とを設け、この検出スイッチ１２による開扉検出時にかご２の走行を阻止するようにしたものである。【選択図】図１
2015187025.tif 000002
【特許請求の範囲】
【請求項１】
エレベーターの保守を行う際に用いる部品及び工具類を収納可能な収納庫を備えたエレベーター装置において、
前記収納庫は、乗場戸上部の乗場側壁に配置されると共に、その開口部が昇降路内側に形成され、かつ前記開口部に変位可能に支持され前記開口部を遮蔽可能な収納庫戸と、この収納庫戸の開閉を検出する検出スイッチとを設け、この検出スイッチによる開扉検出時にかごの走行を阻止することを特徴としたエレベーター装置。
【請求項２】
前記収納庫は、複数の階床にあって、乗場戸上部の乗場側壁に配置されることを特徴とした請求項１に記載のエレベーター装置。
【発明の詳細な説明】
【技術分野】
【０００１】
本発明は、エレベーターの保守を行う際に用いる部品や工具類を収納する収納庫を備えたエレベーター装置に関する。
【背景技術】
【０００２】
近年、エレベーターは、昇降路直上などに別途機械室を設けず、昇降路内に制御盤や駆動装置を設置した、いわゆる機械室レスエレベーターが多くなっている。このような機械室エレベーターでは、保守を行う際に用いる保守部品や工具類を機械室に保管することができないため、昇降路下部に形成されるピットに収納・保管することになる。しかし、ピット内のスペースは限られており収納量が不足する、ピットへの入室する手間がかかったりして作業時間、ひいてはエレベーター停止時間が長くなり、エレベーター利用者へのサービスが低下する、ピットが冠水すると保守部品や工具類が使用できなくなる、及びシースルータイプのエレベーターではピット内が見えることから美観を損ねる、といった課題があった。
【０００３】
このような課題を解決するものとして、特開２００５−１１２５８１号公報に記載されるものがある。この公報には、昇降路に設けられた乗場の出入口縁部に形成されて昇降路内側及び乗場側にそれぞれ出し入れ口が形成された収納庫を備えた、と記載されている。また、特開２００６−２４８６３０号公報に記載されるものもあり、この公報には、かごの出入口側下部に設けられ、かご側転落防止板に形成された開口部から工具類を出し入れ可能に配置された工具トランクと、かご側転落防止板に形成された開口部を塞ぐとともにエレベーター乗場から開閉自在に設けられたトランク蓋とを備えた、と記載されている。さらに、特開２００８−４４７３５号公報に記載されるものもあり、この公報には、最下階の乗場側の側壁に設けられ、保守工具類を収納する収納部と、収納部を昇降路ピット側から隠蔽するように最下階の乗場の敷居に固定されるトーガードとを備えた、と記載されている。
【先行技術文献】
【特許文献】
【０００４】
【特許文献１】特開２００５−１１２５８１号公報
【特許文献２】特開２００６−２４８６３０号公報
【特許文献３】特開２００８−４４７３５号公報
【発明の概要】
【発明が解決しようとする課題】
【０００５】
しかしながら、前述した特許文献１に記載されるものでは、収納庫は昇降路壁を貫通する構造で、昇降路内側及び乗場側に戸を設けるが、特に人目に付き易い乗場側に戸を設ける必要があることから、意匠性に影響がある。また、ピット深さ寸法は通常、数１０ｃｍ〜２ｍ程度あり、ピット深さ寸法によっては、収納庫からの部品等の出し入れに脚立等を要し、安全面で課題があった。
【０００６】
また、前述した特許文献２に記載されるものでは、乗場側からかごの出入口側下部に設けた収納庫内の部品等の出し入れを行うため、作業者は部品等を出し入れするためにかごを移動し、乗場に降りる必要がある。このときかごを上げ過ぎると、収納庫下部と乗場床との間隙が大きくなり、作業者が昇降路内に転落する虞や、部品等を昇降路内に落下させる虞がある。また、収納庫に部品等を多く収納すると、かご重量が増加してしまい、エレベーターの定格積載荷重に沿った運行を実現できなくなるという課題があった。
【０００７】
さらに、前述した特許文献３に記載されるものでは、最下階の乗場側の側壁に収納庫を設けていることから、収納庫利用時に、昇降路下部のピットへ入室する必要があり、かごを直上の階に停止させ、最下階へ移動し、ピットへ入室する、といった一連の手間がかかり、作業性の低下を招くという課題あった。また、ピットに出入りするための梯子の設置位置を、収納庫開口部を塞ぐトーガードの開閉の妨げにならいように考慮しなければならなかった。
【０００８】
本発明は、前述した従来技術における実状からなされたもので、その目的は、意匠性の低下を招くことなく、利便性と安全性を確保しつつ、保守を行う際に用いる部品や工具類を収納することのできるエレベーター装置を提供することにある。
【課題を解決するための手段】
【０００９】
前記目的を達成するために、本発明は、エレベーターの保守を行う際に用いる部品及び工具類を収納可能な収納庫を備えたエレベーター装置において、前記収納庫は、乗場戸上部の乗場側壁に配置されると共に、その開口部が昇降路内側に形成され、かつ前記開口部に変位可能に支持され前記開口部を遮蔽可能な収納庫戸と、この収納庫戸の開閉を検出する検出スイッチとを設け、この検出スイッチによる開扉検出時にかごの走行を阻止することを特徴としている。
【発明の効果】
【００１０】
本発明によれば、収納庫や収納庫戸を乗場戸上部の人目に付きにくいところに配置し、意匠性の低下を招くことを防ぐことができる。また、収納庫の利用はかごを任意の高さ位置とし、かご側から行うことができると共に、収納庫の利用時にはかごの走行が強制的に阻止されることから、保守作業時の利便性や安全性を確保することができる。さらに、かご側に収納庫を設けることを要さないことから、エレベーターの定格積載荷重に沿った運行を実現することができる。
【図面の簡単な説明】
【００１１】
【図１】本発明のエレベーター装置の一実施の形態を示す概略構成図である。
【発明を実施するための形態】
【００１２】
以下、本発明に係るエレベーター装置の実施の形態を図に基づき説明する。
【実施例１】
【００１３】
本実施の形態のエレベーター装置は、図１に示すように、建屋に形成される昇降路１内を昇降するかご２と、かご２の出入口に開閉可能に設けられるかご戸３と、かご戸３の上部に配置され、かご戸３の開閉を案内するドアレール４と、かご戸３の下部が係合され、かご戸３の開閉を案内する敷居５と、乗場６に設けられ、かご戸３と対向した状態でかご戸３に同期して開閉する乗場戸７と、乗場戸７の上部に配置され、乗場戸７の開閉を案内するドアレール８と、乗場戸７の下部が係合され、乗場戸７の開閉を案内する敷居９とを備えている。
【００１４】
そして、本実施の形態では、意匠性の低下を招くことなく、安全性と利便性を確保しつつ、エレベーターの保守を行う際に用いる部品や工具類を収納するために工夫が施されている。具体的には、収納庫１０は、１階、２階、３階とエレベータが停止する階であれば、中間階の２階の乗場堵上部の乗場側壁１１に配置するのが望ましい。中間階上部に収納庫１０を設置すると、かご内からもかご上からも収納庫１０からの部品取り出しが容易である。また、１階と２階と停止階が２階床のエレベーターでは、２階の上部だとかご上に乗る動作が発生するため、かご内からアクセスの容易な１階の上部が望ましい。
収納庫１０用の開口部１０ａを昇降路１内側に形成している。ここで、収納庫１０は、中間階の乗場戸７上部の乗場側壁１１にのみ設けた例を示しているが、当該建屋の保守作業で見込まれる部品や工具類の収納量に応じて複数個所に設けることもできる。また、乗場戸７上部には、前述したドアレール８や乗場戸７が開扉したことを検出する図示しない開扉スイッチが設置されている鴨居部があり、この鴨居部の上方に収納庫１０が配置されている。
【００１５】
収納庫１０の開口部１０ａには、変位可能に支持され開口部１０ａを遮蔽可能な収納庫戸１１が配置されていると共に、この収納庫戸１１の開閉を検出する検出スイッチ１２が設けられている。検出スイッチ１２は、例えば収納庫戸１１の閉扉を検出したときに閉扉検出信号を図示しない制御装置に出力するものであり、制御装置は、検出スイッチ１２から出力される閉扉検出信号の入力に応じてかご２の走行を許可すると共に、閉扉検出信号の無入力に応じてかご２の走行を阻止するようになっている。
【００１６】
本実施の形態にあっては、保守作業時に保守員が、例えば保守作業に要する交換部品及び工具を収納庫１０から取り出す場合、作業者は乗場６からかご２内に乗り込み、保守用低速運転でかご２を上昇運転し、収納庫１０から交換部品及び工具類を取り出しやすい高さ位置に停止する。このとき、収納庫戸１１は閉扉状態であり、検出スイッチ１２から閉扉検出信号が出力されていることから、制御装置はかご２の走行を許可する。この後、作業員は、かご戸３及び収納庫戸１１を開く。収納庫戸１１が開扉されると、検出スイッチ１２は閉扉検出信号の出力を停止し、これに応じてかご２は走行が不可能となり安全が確保される。作業員は、かご戸３及び収納庫戸１１を開いた状態で必要な交換部品及び工具を収納庫１０から取り出す。次いで、収納庫戸１１及びかご戸３を閉じ、かご２を所望の位置まで走行させ、保守作業を継続する。一方、保守作業が終了すると、前述と同様にかご２を運転し、かご戸３及び収納庫戸１１を開き、工具類を収納庫１０に収納する。
【００１７】
本実施の形態によれば、収納庫１０や収納庫戸１１を乗場戸７上部の人目に付きにくいところに配置し、意匠性の低下を招くことを防ぐことができる。また、収納庫１０の利用はかご２を任意の高さ位置とし、かご２側から行うことができると共に、収納庫１０の利用時にはかご２の走行が強制的に阻止されることから、保守作業時の利便性や安全性を確保することができる。さらに、かご２側に収納庫１０を設けることを要さないことから、エレベーターの定格積載荷重に沿った運行を実現することができる。
【００１８】
なお、前述した実施の形態は本発明を分かりやすく説明するために詳細に説明したものであり、必ずしも説明した全ての構成を備えるものに限定されるものではない。また、前述した実施の形態の構成の一部について、他の構成の追加・削除・置き換えをすることが可能である。例えば、収納庫１０は乗場６から一定の高さ位置にあることから、低速運転時、かご２の位置を検出し、収納庫１０の利用に適した位置となったときに、ブザーを鳴動させたり、かご２内に配置したランプを点灯させ、かご２が収納庫１０の利用に適した高さ位置となったことを報知するようにしたり、自動停止するようにしたりすることもできる。また、前述した実施の形態では、検出スイッチ１２は、収納庫戸１１の閉扉を検出したときに閉扉検出信号を出力するようにしたものであるが、開扉を検出したときに開扉検出信号を出力するようにし、制御装置は、開扉検出信号の入力に応じてかご２の走行を阻止すると共に、開扉検出信号の無入力に応じてかご２の走行を許可するようにしてもよい。さらに、収納庫１０の個数は、当該建屋の保守作業で見込まれる部品や工具類の収納量に応じて複数個所に設けることができる。このように、収納庫１０を乗場戸７上部の乗場側壁に配置する構造とすることにより、建屋の複数の階床に収納庫１０を設け、収納量を増やすことが可能である。
【符号の説明】
【００１９】
１  昇降路
２  かご
３  かご戸
６  乗場
７  乗場戸
１０  収納庫
１０ａ  開口部
１１  収納庫戸
１２  検出スイッチ
【図１】
2015187025.tif 000003